【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
原サンプリング信号のマルチバンド処理を実行するためのコンピュータプログラム命令を格納する少なくとも１つのコンピュータ読み取り可能な媒体であって、
前記原サンプリング信号を、複数の周波数バンドの１つにそれぞれが対応する複数の信号成分に分割するための第１の命令と、
前記複数の信号成分の各々に関するダイナミックレンジを、独立的かつ動的に制御するための第２の命令と、
前記複数の信号成分に関する少なくとも１つの信号レベルを修正するための第３の命令と、
前記信号成分を、処理されたサンプリング信号に結合するための第４の命令と、
を含む媒体。
【請求項２】
請求項１の少なくとも１つのコンピュータ読み取り可能な媒体において、前記第２の命令は、前記各信号成分が信号のレンジ内に収まるように、前記各信号成分に関するゲイン係数を、前記関連した信号成分の過去および未来のサンプルの少なくとも１つを参照して実行する、媒体。
【請求項３】
請求項１の少なくとも１つのコンピュータ読み取り可能な媒体において、前記第２の命令は、前記各信号成分に関するゲイン係数の非線形制御を実行する、媒体。
【請求項４】
請求項１の少なくとも１つのコンピュータ読み取り可能な媒体において、前記第２の命令は、前記各信号成分の各サンプルにゲイン係数を適用することにより、前記各信号成分に関する前記ダイナミックレンジを制御し、前記ゲイン係数は動的に調節される、媒体。
【請求項５】
請求項４の少なくとも１つのコンピュータ読み取り可能な媒体において、前記各信号成分に対する前記ゲイン係数は、第１の数のサンプルごとに動的に調節される、媒体。
【請求項６】
請求項４の少なくとも１つのコンピュータ読み取り可能な媒体において、前記各信号成分に対する前記ゲイン係数は、前記各信号成分の各サンプルが比較される閾値レベルを参照して動的に調節される々の各々、媒体。
【請求項７】
請求項６の少なくとも１つのコンピュータ読み取り可能な媒体において、前記ゲイン係数は、各サンプルが前記閾値レベルよりも小さい場合には、リリースレートパラメータを用いて上方に調節され、各サンプルが前記閾値レベルよりも大きい場合には、アタックレートパラメータを用いて下方に調節される、媒体。
【請求項８】
請求項７の少なくとも１つのコンピュータ読み取り可能な媒体において、前記ゲイン係数の上方への調整は、Ｇ＝Ｇ＋ＧＲに従って実行され、Ｇは前記ゲイン係数であり、Ｒは前記リリースレートパラメータであり、前記ゲイン係数の下方への調節は、Ｇ＝Ｇ−ＧＡに従って実行され、Ａは前記アタックレートパラメータである、媒体。
【請求項９】
請求項７の少なくとも１つのコンピュータ読み取り可能な媒体において、前記ゲイン係数の上方への調整は、Ｇ＝Ｇ＋Ｇ／（２＾Ｒ）に従って実行され、Ｇは前記ゲイン係数であり、Ｒは前記リリースレートパラメータであり、前記ゲイン係数の下方への調節は、Ｇ＝Ｇ−Ｇ／（２＾Ａ）に従って実行され、Ａは前記アタックレートパラメータである、媒体。
【請求項１０】
請求項１の少なくとも１つのコンピュータ読み取り可能な媒体において、前記第３の命令は、未来のサンプルの第１の数を参照して、前記少なくとも１つの信号レベルを制限する、媒体。
【請求項１１】
請求項１０の少なくとも１つのコンピュータ読み取り可能な媒体において、現在のサンプルに適用されるゲイン係数は、前記未来のサンプルのうちの少なくとも１つを参照して修正される、媒体。
【請求項１２】
請求項１１の少なくとも１つのコンピュータ読み取り可能な媒体において、前記ゲイン係数は、前記少なくとも１つの未来のサンプルに前記ゲイン係数を適用した結果、前記少なくとも１つの未来のサンプルが閾値を超える場合には減少され、前記ゲイン係数は、前記ゲイン係数が前記第１の数の現在のサンプルに適用された後に減少される、媒体。
【請求項１３】
請求項１の少なくとも１つのコンピュータ読み取り可能な媒体において、前記第３の命令は、前記複数の信号成分の各々に適用するために、独立したネガティブアタック時間リミッタを実装する、媒体。
【請求項１４】
請求項１の少なくとも１つのコンピュータ読み取り可能な媒体において、前記第３の命令は、前記処理されたサンプリング信号に適用するために、ネガティブアタック時間リミッタを実装する、媒体。
【請求項１５】
請求項１の少なくとも１つのコンピュータ読み取り可能な媒体において、前記第１の命令は、前記原サンプリング信号を、５つの周波数バンドの内の１つにそれぞれが対応する５つの信号成分に分割するための２つの３ウェイクロスオーバブロックに対応し、前記第２の命令は、前記各信号成分に関する前記ダイナミックレンジを独立的かつ動的に制御するための５つの自動ゲイン制御（ＡＧＣ）ブロックに対応し、前記第３の命令は、前記各信号成分に関する前記信号レベルを制限するための５つのネガティブアタック時間リミッタ（ＮＡＴＬ）ブロックに対応する、媒体。
【請求項１６】
請求項１の少なくとも１つのコンピュータ読み取り可能な媒体において、前記第１の命令は、前記原サンプリング信号を、４つの周波数バンドの内の１つにそれぞれが対応する４つの信号成分に分割するための２ウェイクロスオーバブロックおよび３ウェイクロスオーバブロックに対応し、前記第２の命令は、前記各信号成分に関する前記ダイナミックレンジを独立的かつ動的に制御するための４つの自動ゲイン制御（ＡＧＣ）ブロックに対応し、前記第４の命令は、前記信号成分を、混合されたサンプリング信号に結合するためのミキシングブロックに対応し、前記第３の命令は、前記混合されたサンプリング信号に関する信号レベルを制限するためのネガティブアタック時間リミッタ（ＮＡＴＬ）ブロックに対応する、媒体。
【請求項１７】
請求項１の少なくとも１つのコンピュータ読み取り可能な媒体において、前記第１の命令は、前記原サンプリング信号を、３つの周波数バンドの内の１つにそれぞれが対応する３つの信号成分に分割するための２つの２ウェイクロスオーバブロックに対応し、前記第２の命令は、前記各信号成分に関する前記ダイナミックレンジを独立的かつ動的に制御するための３つの自動ゲイン制御（ＡＧＣ）ブロックに対応し、前記第３の命令は、前記各信号成分に感ずる信号レベルを制限するための３つのネガティブアタック時間リミッタ（ＮＡＴＬ）ブロックに対応する、媒体。
【請求項１８】
請求項１における前記処理されたサンプリング信号を送信するためのシステムであって、請求項１の少なくとも１つのコンピュータ読み取り可能な媒体を備える、システム。
【請求項１９】
請求項１８のシステムにおいて、広域ネットワーク内のサーバプラットフォームと、デジタルラジオの送信プラットフォームと、移動体通信システムの送信プラットフォームと、ケーブルＴＶの送信プラットフォームと、衛生ＴＶの送信プラットフォームのいずれかを備える、システム。
【請求項２０】
請求項１の前記原サンプリング信号を受信するためのシステムにおいて、請求項１の少なくとも１つのコンピュータ読み取り可能な媒体を備える、システム。
【請求項２１】
請求項２０のシステムにおいて、広域ネットワーク内のクライアントプラットフォームと、デジタルラジオ受信装置と、移動体通信システムの送信プラットフォームと、ケーブルＴＶのデコーダと、衛生ＴＶのデコーダのいずれかを備える、システム。
【請求項２２】
携帯用デバイスであって、請求項１の少なくとも１つのコンピュータ読み取り可能な媒体を備える、デバイス。
【請求項２３】
請求項２２の携帯用デバイスにおいて、前記原サンプリング信号はオーディオ信号であり、前記携帯用デバイスはデジタルオーディオプレーヤを備える、デバイス。